(57)【要約】【課題】収納容器の組み立てに際し、巻回体を収納容器に短時間で挿入できる収納容器を提供する。【解決手段】包装媒体１２の巻回体２を収納し、一面に開口部３０を有する収納容器３であって、開口部に対向する底板４であって、短辺６１と、当該短辺６１に直角で当該短辺６１より長い長辺３１とを有する底板と、底板の長辺に立設された前板５と、長辺３１に対向する底板の他の長辺３２に立設された後板６と、後板に連接された、開口部を開閉可能なと、前板に底板の長辺に対向する連接辺で連接された抑え板と、底板、および前板、および後板の少なくともいずれかの長手方向Ｘ１の端から延在し、短辺に立設された側面板とを備え、抑え板３４は、蓋板２２の裏側と接着する接着面３６を有し、蓋板に接着され、前記接着は、蓋板を最初に開方向に回動させたときに破壊され、蓋板と抑え板とが分離するよう構成される。【選択図】図１
2013001410.tif 000002
【特許請求の範囲】
【請求項１】
包装媒体が円筒状に巻かれた包装媒体巻回体を収納し、一面に開口部を有する包装媒体収納容器であって；
前記開口部に対向する底板であって、短辺と、当該短辺に直角で当該短辺より長い長辺とを有する底板と；
前記底板の長辺に立設された前板と；
前記長辺に対向する前記底板の他の長辺に立設された後板と；
前記後板に連接された、前記開口部を開閉可能な蓋板と；
前記前板に前記底板の長辺に対向する連接辺で連接された抑え板と；
前記底板、および前記前板、および前記後板の少なくともいずれかの長手方向の端から延在し、前記短辺に立設された側面板とを備え；
前記抑え板は、前記蓋板の裏側と接着する接着面を有し、前記蓋板に接着され；
前記接着は、前記蓋板を最初に開方向に回動させたときに破壊され、前記蓋板と前記抑え板とが分離するよう構成された；
包装媒体収納容器。
【請求項２】
前記接着面は、１つまたは複数の接着エリアからなる；
請求項１に記載の包装媒体収納容器。
【請求項３】
前記抑え板は、開口部の長手方向の全幅に亘って形成され；
前記抑え板の幅の長さが、前記開口部の幅の１０％から９８％の間の値を有する；
請求項１または請求項２に記載の包装媒体収納容器。
【請求項４】
請求項１乃至請求項３のいずれか１項に記載の包装媒体収納容器と；
前記包装媒体が円筒状に巻かれた前記ラップ巻回体とを備える；
包装媒体供給具。
【発明の詳細な説明】
【技術分野】
【０００１】
本発明は、包装媒体が円筒状に巻かれた包装媒体巻回体を収納する包装媒体収納容器、当該包装媒体収納容器を備える包装媒体供給具に関し、特に、包装媒体収納容器の組み立てに際し、包装媒体巻回体を包装媒体収納容器に短時間でスムーズに挿入することができる包装媒体収納容器、当該包装媒体収納容器を備える包装媒体供給具に関する。
【背景技術】
【０００２】
図６の斜視図に、従来のラップフィルム供給具１０１を示す。図６は、開封片（図６に不図示）を除去して開封し、蓋板１２２を開けた状態のラップフィルム供給具１０１を示す。
【０００３】
従来のラップフィルム供給具１０１は、ラップ巻回体１０２（図６に破線で表示）（以下、適宜、巻回体１０２）と、巻回体１０２を収納するラップフィルム収納容器１０３（以下、適宜、収納容器１０３）とを含んで構成される。巻回体１０２は、食品包装用等に使用されるラップフィルム１１２を円筒状の巻芯１１０に巻きつけたものである。巻回体１０２は、細長い直方体形状である紙製（コートボール紙）の収納容器１０３の中に収納される。
【０００４】
収納容器１０３は、一面全体に渡って開口している開口部１３０を、図６中、上部に有する容器本体１１５と、容器本体１１５の開口部１３０を覆って蓋をするように形成され、一端が容器本体１１５に回動可能に連接された蓋板１２２と、開封片（図６に不図示）とを含んで構成されている。
【０００５】
容器本体１１５は、底板１０４と、前板１０５、後板１０６と、側面板１７１と、底板１０４に対向して配置され開口部１３０を部分的に塞ぐ抑え板１３４とを有する。収納容器１０３は、蓋板１２２が開口部１３０を塞いだときに（すなわち、蓋板１２２が閉の場合）、前板１０５に重なる蓋前板１２３を有する。開封片は蓋前板１２３の一辺に断続的に形成された切込線１２５を介して蓋前板１２３に連接される（図６に不図示）。蓋前板１２３の一辺には、切込線１２５に重ねてカッター１２４が取り付けられている。カッター１２４は、蓋板１２２が閉の場合、切込線１２５を超えて底板１０４側に張り出すように形成され、開封片（図６に不図示）を除去したときに収納容器１０３から、隙間１５１を通って引き出したラップフィルム１１２を、切断できるように構成されている。
【発明の概要】
【発明が解決しようとする課題】
【０００６】
しかし、巻回体１０２を、収納容器１０３内に挿入する場合、抑え板１３４が蓋板１２２の裏側から離れた状態にあるときに、巻回体１０２が抑え板１３４に当たり、巻回体１０２を収納容器１０３に挿入しにくくなる場合があった。このため、収納容器１０３の組み立てに時間を要する場合があり、短時間で巻回体１０２をスムーズに挿入することが可能な収納容器１０３が望まれていた。
【０００７】
そこで、本発明は、包装媒体収納容器の組み立てに際し、包装媒体巻回体を包装媒体収納容器に短時間でスムーズに挿入することができる包装媒体収納容器を提供することを目的とする。
【課題を解決するための手段】
【０００８】
上記目的を達成するために、本発明の第１の態様に係る包装媒体収納容器３は、例えば図１に示すように、包装媒体１２が円筒状に巻かれた包装媒体巻回体２を収納し、一面に開口部３０を有する包装媒体収納容器３であって；開口部３０に対向する底板４であって、短辺６１と、当該短辺６１に直角で当該短辺６１より長い長辺３１とを有する底板４と；底板４の長辺３１に立設された前板５と；長辺３１に対向する底板４の他の長辺３２に立設された後板６と；後板６に連接された、開口部３０を開閉可能な蓋板２２と；前板５に底板４の長辺３１に対向する連接辺３９で連接された抑え板３４と；底板４、および前板５、および後板６の少なくともいずれかの長手方向Ｘ１の端から延在し、短辺６１に立設された側面板７１とを備え；抑え板３４は、蓋板２２の裏側と接着する接着面３６を有し；蓋板２２に接着され；前記接着は、蓋板２２を最初に開方向に回動させたときに破壊され、蓋板２２と抑え板３４とが分離するよう構成される。
【０００９】
このように構成すると、抑え板は、蓋板の裏側と接着する接着面を有し、蓋板に接着され、接着は、蓋板を最初に開方向に回動させたときに破壊され、蓋板と抑え板とが分離する。よって、包装媒体収納容器の製造に当たり、包装媒体収納容器を立体化させたとき、抑え板は、蓋板の裏側に接着されているので、包装媒体巻回体を包装媒体収納容器の側面から収納媒体収納容器内に挿入するとき、包装媒体巻回体が抑え板に当たらず、短時間で包装媒体巻回体を包装媒体収納容器内にスムーズに挿入することができる。さらに、使用者が購入直後の未開封の状態からの包装媒体を最初に使用する際、蓋板を最初に開方向に回動させたときに、抑え板と蓋板との接着を破壊し、抑え板と蓋板とを分離して蓋板を開状態にし、包装媒体を包装媒体収納容器から引き出して、使用することができる。
【００１０】
本発明の第２の態様に係る包装媒体収納容器３は、例えば図１に示すように、第１の態様の包装媒体収納容器において、接着面３６は、１つまたは複数の接着エリア３６からなる。
【００１１】
本発明の第３の態様に係る包装媒体収納容器３は、例えば図１に示すように、第１の態様または第２の態様の包装媒体収納容器において、抑え板３４は、開口部３０の長手方向Ｘ１の全幅に亘って形成され；抑え板３４の幅Ｗ１の長さが、開口部３０の幅Ｗ４の１０％から９８％の間の値を有する。
【００１２】
このように構成すると、抑え板は、開口部の長手方向の全幅に亘って形成され；抑え板の幅の長さが、開口部の幅の１０％から９８％の間の値を有するので、包装媒体を抑え板と後板との間を通って、包装媒体収納容器から引き出すことができ、かつ抑え板を十分強度のあるものとし、抑え板により包装媒体巻回体の包装媒体収納容器からの飛び出しを防止することができる。
【００１３】
上記目的を達成するために、本発明の第４の態様に係る包装媒体供給具１は、例えば図１に示すように、請求項１乃至請求項３のいずれか１項に記載の包装媒体収納容器３と；包装媒体１２が円筒状に巻かれたラップ巻回体２とを備える。
【発明の効果】
【００１４】
以上説明したように、本発明の包装媒体収納容器によれば、抑え板は、蓋板の裏側と接着する接着面を有し、蓋板に接着され、接着は、蓋板を最初に開方向に回動させたときに破壊され、蓋板と抑え板とが分離する。よって、包装媒体収納容器の製造に当たり、包装媒体収納容器を立体化させたとき、抑え板は、蓋板の裏側に接着されているので、包装媒体巻回体を包装媒体収納容器の側面から収納媒体収納容器内に挿入するとき、包装媒体巻回体が抑え板に当たらず、短時間で包装媒体巻回体を包装媒体収納容器内にスムーズに挿入することができる。さらに、包装媒体の最初の使用に際し、蓋板を最初に開方向に回動させたときに、抑え板と蓋板との接着を破壊し、抑え板と蓋板とを分離して蓋板を開状態にし、包装媒体を包装媒体収納容器から引き出して、使用することができる。
【図面の簡単な説明】
【００１５】
【図１】本発明の実施の形態に係る、開封片（不図示）が除去された後の、蓋板が開となった包装媒体収納容器を備える包装媒体供給具の斜視図である。
【図２】図１の包装媒体収納容器の、抑え板と包装媒体巻回体とを省略した、長手方向に直角な方向の断面図である。
【図３】図１の包装媒体収納容器の抑え板の平面図である。
【図４】抑え板の接着エリアの中心と接着エリアのニックの中心とを結んだ線が、第２の連接辺に平行な線となす角度および直角な線となす角度の関係を説明する拡大部分平面図である。
【図５】（Ａ）は、底板と前板の間で曲げ、後板と蓋板の間で曲げ、開封片を前板に接着し、抑え板を蓋板に接着した状態の素材の長手方向に直角な方向の断面図である。（Ｂ）は、（Ａ）の素材を立体化した状態の同断面図である。
【図６】蓋板を開にした状態の包装媒体収納容器を備える従来の包装媒体供給具の斜視図である。
【発明を実施するための形態】
【００１６】
以下、本発明の実施の形態について、図面を参照して説明する。なお、各図において互いに同一あるいは相当する部材には同一の符号を付し、重複した説明は省略する。
【００１７】
図１の斜視図を参照して、本発明の実施の形態の包装媒体収納容器３（以下、適宜、収納容器３）を備える包装媒体供給具１（以下、適宜、供給具１）の構成を説明する。
【００１８】
供給具１は、巻回体２（図１に破線で記載）と、巻回体２を収納する収納容器３とを含んで構成される。巻回体２は、食品包装用等に使用される包装媒体１２を円筒状の巻芯１０に巻きつけて巻回体２としたものである。巻回体２は、収納容器３の中に収納される。収納容器３は、例えば、厚紙またはボール紙などの紙素材（不図示）により形成される。収納容器３は、複数枚、または、１枚の紙素材（不図示）から形成することが可能である。
【００１９】
収納容器３は、容器本体１５を備える。容器本体１５は略直方体形状をなす。容器本体１５は、紙素材（不図示）を折り曲げて形成され、略長方形の一面に開口した開口部３０を有する。
【００２０】
巻芯１０に巻かれた包装媒体１２は、ポリ塩化ビニリデンを原材料とする透明なラップフィルムであるが、ポリ塩化ビニル、ポリエチレン、ポリメチルペンテン、もしくはこれらを組み合わせた多層フィルムであってもよい。また、包装媒体１２は、ロール紙、キッチンペーパ、アルミホイル、加熱調理用紙シート等であってもよい。
【００２１】
収納容器３は、底板４と、底板４の長辺３１に底板４に対し直角に立設された前板５と、長辺３１に対向する底板４の他の長辺３２に底板４に対し直角に立設された後板６と、底板４の長辺３１に対向する第２の連接辺３９を有する抑え板３４を備える。底板４、前板５、後板６、抑え板３４は、容器本体１５を構成する。底板４は、開口部３０に対向するよう配置されている。抑え板３４は、第２の連接辺３９において前板５に連接される。
【００２２】
抑え板３４は、略直方体形状の容器本体１５の形成に際し、第２の連接辺３９に沿って、開口部３０を部分的に塞ぐように前板５に対し９０度の角度で折り曲げられる。
【００２３】
底板４は長辺３１および他の長辺３２に加えて、長辺３１および他の長辺３２に直角な短辺６１を有する。収納容器３は、側面板７１をさらに備える。側面板７１は、それぞれ短辺６１（底板４の長手方向Ｘ１の端）に立設されている。
【００２４】
収納容器３は、さらに、蓋板２２と、蓋前板２３とを備える。蓋板２２は、長手方向Ｘ１に直角な方向で底板４に平行な（蓋板２２が閉の場合に該当する）長い略長方形である。蓋板２２は、底板４の他の長辺３２に対向する第１の連接辺３８を有し、第１の連接辺３８において後板６に回動可能に連接され、開口された開口部３０を塞ぐよう構成される。蓋前板２３は、第１の連接辺３８に対向する蓋板２２の長辺４０に蓋板２２に対して直角に立設され、蓋板２２が開口部３０を塞いだ状態のとき、前板５に沿って前板５の外側の外側面７に重なるよう配置される。
【００２５】
蓋板２２は長辺である第１の連接辺３８と長辺４０に加えて、短辺６３を有する。収納容器３は、蓋側面板７３をさらに備える。蓋側面板７３は、それぞれ短辺６３に立設されている。蓋側面板７３は長手方向Ｘ１に直角な方向で底板４に平行な方向（蓋板２２が閉じた場合に該当する）に長い略長方形である。
【００２６】
蓋前板２３は長辺４０に対向する側に下端辺６０を有し、包装媒体１２を切断するためのカッター２４が下端辺６０に沿って設けられている。カッター２４の先端には複数の刃を有する鋸刃８０が形成されている。蓋板２２を完全に閉じて（すなわち、蓋板２２が底板４に平行になって）、開口している開口部３０を塞いだ場合、カッター２４の一部は、底板４に直角で底板４に向かう方向に蓋前板２３から突出するように構成されている。
【００２７】
収納容器３は、さらに開封片（図１に不図示）を備える。開封片は、蓋板２２の長辺４０に対向する蓋前板２３の下端辺６０に断続的に切り込みが形成された切込線２５を介して蓋前板２３に連接されている。
【００２８】
抑え板３４は、蓋板２２が閉となった場合に、蓋板２２に対向する面に、接着面としての接着エリア３６を有する。蓋板２２の裏側には、接着面４２が設けられる。収納容器３の組み立てに際して、抑え板３４を蓋板２２に重ねた場合、接着エリア３６が接着面４２の部分に当たるように構成されている。接着剤としては、酢酸ビニル樹脂水性エマルジョン、変性酢酸ビニル−アクリル樹脂共重合体、酢酸ビニル−アクリル樹脂共重合体、エチレン−酢酸ビニル樹脂ホットメルト接着剤、反応性ホットメルト接着剤、ポリアミド樹脂ホットメルト接着剤、ポリウレタン樹脂ホットメルト接着剤、ポリオレフィン樹脂ホットメルト接着剤、エチレン酢酸ビニル樹脂エマルジョン接着剤＋酢酸ビニル樹脂エマルジョン接着剤等をあげることができるが、これらに限定されるものではない。
【００２９】
図３の平面図に示すように、抑え板３４は、第２の連接辺３９（図１）側の長手方向Ｘ２に沿う長辺５９（第２の連接辺３９に一部重なる）と、長辺５９に対向する後板６（図１）側（端部３４Ａがスリット部５２（図３）に係合した状態のときに該当する）の長辺５８と、端部３４Ａを含む短辺５３とを有する。抑え板３４は、後板６側の長手方向Ｘ２の長さＬ１を有し、長さＬ１は、開口部３０（図１）の底板４（図１）の長辺３１（図１）に平行な方向の長さＬ４（図１）に等しく形成されている。抑え板３４の長さＬ１を、開口部３０の長さＬ４よりわずかに長く形成し、抑え板３４のスリット部５２への係合が確実なものとなるようにしてもよい。この場合、抑え板３４は、長手方向Ｘ２と幅方向Ｗとに直角な方向に、わずかにふくらんで撓む。
【００３０】
抑え板３４は、第２の連接辺３９（図１）上の長辺５９側の長手方向Ｘ２の長さＬ２を有し、長さＬ２は、長さＬ１より、例えば１０ｍｍから２０ｍｍ（片側、５ｍｍから１０ｍｍ）ほど短く形成されている。
【００３１】
抑え板３４の幅Ｗ１は、開口部３０の幅の１０％から９８％の間の値とするとよい。このようにすると抑え板３４の強度を保持しつつ、隙間５１（図１）から包装媒体１２を引き出せる構成とすることができる。なお、抑え板３４は、開口部３０の長手方向Ｘ１（図１）の全幅に亘って形成されている。
【００３２】
幅Ｗ１は、好ましくは開口部３０の幅の５０％から９０％の間になるように形成するとよい。このようにすると、抑え板３４を変形しにくい構造とし、巻回体２の飛び出し防止効果を増すことができる。幅Ｗ１は、さらに好ましくは開口部３０の幅の７０％から８５％の間になるように形成するとよい。このようにすると、抑え板３４をより変形しにくい構造とし、巻回体２の飛び出し防止効果をさらに増すことができる。
【００３３】
図３の平面図、図４の拡大部分平面図を参照して、抑え板３４上に形成された接着エリア３６について説明する。抑え板３４の外側である外側面３４Ｂにある接着エリア３６は、ニック４４を残して接着エリア３６の外縁（円形の縁）を囲むように半切り線４６がそれぞれ形成されている。ニック４４は、接着エリア３６の外縁の、第２の連接辺３９（図１）側に設けられる。例えば、接着エリア３６の中心４９とニック４４の中心５０を結んだ線Ｐ２（図４中、一点鎖線）が、第２の連接辺３９に平行な線Ｎ２に対して９０度の角度をなし、すなわち線Ｎ２に対して直角な線Ｍ２に平行になるように設けるとよい。なお、図４において、ニック４４は、大きさを誇張して描いている。
【００３４】
さらに詳細に説明すると、ニック４４を、図４中、接着エリア３６の外縁を構成する円の６時方向（第２の連接辺３９に直角な方向）の間に形成するとよい。なお、図４においては、１２時（０時）方向が上側である。半切り線４６とは、接着エリア３６の外縁を囲むようにニック４４を残して連続的に切り込みが入れられた線であり、ニック４４には半切り線は形成されておらず、切り込みが入れられていない。抑え板３４は、蓋板２２（図１）を第１の連接辺３８（図１）の周りに開方向に回動させ最初に開にしたときに、蓋板２２から剥ぎ取られ、抑え板３４と蓋板２２とが分離される。蓋板２２から分離された抑え板３４は、端部３４Ａがスリット部５２（図２）に係合され、底板４（図１）に対向するよう配置される。
【００３５】
このように構成すると、接着エリア３６の外縁の全周を半切り線４６が囲むように形成されている場合と相違し、収納容器３（図１）の組立時や運搬時などに収納容器３に衝撃が加わった際、接着エリア３６全体に収納容器３の素材（不図示）の層間剥離が起こらないようにし、蓋板２２（図１）が接着エリア３６のある抑え板３４から剥離してしまうのを、ニック４４を残して接着エリア３６の外縁を囲むように形成した半切り線４６により、より確実に防ぐことができる。
【００３６】
また、接着エリア３６には、ニック４４を残して接着エリア３６の外縁を囲むように半切り線４６がそれぞれ形成されているので、接着エリア３６の寸法、ニック４４の寸法を調整することにより蓋板２２（図１）と抑え板３４を分離させるのに必要な力を調整することができる。ニック４４の長さは、外縁の周の長さの１％から１５％、好ましくは３％から７％とするとよい。ニック４４の長さが、外縁の周の長さの１％未満だと、蓋板２２と抑え板３４が容易に分離してしまい、１５％を超えると蓋板２２と抑え板３４との分離が難しくなる。
【００３７】
図５（Ａ）、（Ｂ）に示すように、収納容器３の組み立ては、以下のように行う。紙素材（不図示）を打ち抜いて形状を収納容器３（図１）用の素材（不図示）とする。素材に必要な箇所に折線（不図示）を形成する。素材（不図示）の必要な箇所に接着剤を塗布する。
【００３８】
次に、後板６と蓋板２２との間の折線５６で、後板６と蓋板２２とが重なるように折り曲げる。さらに、底板４と前板５との間の折線５７で、底板４と前板５とが重なるように折り曲げる。このとき抑え板３４が蓋板２２の裏側に接着されて張り付き、開封片２６の裏側が前板５に接着されて張り付くようにする。
【００３９】
次に、後板６と蓋板２２との角度、後板６と底板４との角度、底板４と前板５との角度がそれぞれ９０度となるように収納容器３を立体化させる。次に、収納容器３の一方の側面を、側面板７１、第２の副側面板７１Ｂ、第１の副側面板７１Ａで形成し、当該一方の側面を閉とする。開となっている他方の収納容器３の側面（不図示）から巻回体２を収納容器３の内部に挿入する。このとき、抑え板３４は蓋板２２の裏側に張り付いているので、巻回体２の挿入に際し、抑え板３４が障害となることがなく、巻回体２を短時間でスムーズに挿入することができる。その後に、他方の側面を側面板７１、第２の副側面板７１Ｂ、第１の副側面板７１Ａで形成し、当該他方の側面を閉とする。
【００４０】
図１に戻って説明する。本実施の形態の収納容器３によれば、抑え板３４は端部３４Ａ（図３）を有し、端部３４Ａはスリット部５２に係合するので、抑え板３４は、底板４に対向して配置され、収納容器３から包装媒体１２を引き出すときに、巻回体２が収納容器３内で浮き上がると、抑え板３４により抑えられる。よって、巻回体２が収納容器３の外部に飛び出すことを抑え板３４により確実に防止できる。すなわち、巻回体２が収納容器３の外部に飛び出すことを簡易な構成により確実に防止できる。
【００４１】
抑え板３４は、蓋板２２が開の状態になっているときでも、巻回体２が収納容器３の外部に飛び出すことを確実に防止できる。また、抑え板３４は、蓋板２２が開の状態になっているときであって、包装媒体１２が収納容器３内に戻ってしまったときでも、巻回体２が収納容器３の外部に飛び出すことを確実に防止でき、巻回体２が収納容器３の外部に飛び出すことによる包装媒体１２の汚染を防止できる。
【００４２】
抑え板３４は、第２の連接辺３９にて前板５に連接され、収納容器３に対して回動しないように固定されている。抑え板３４は、素材の段階で前板５と一体に形成することにより、接着剤を使用しないで、使用時の立体化された収納容器３に固定することができる。
【符号の説明】
【００４３】
１  包装媒体供給具（供給具）
２  包装媒体巻回体（巻回体）
３  包装媒体収納容器（収納容器）
４  底板
５  前板
６  後板
７  外側面
９  外周部
１０  巻芯
１２  包装媒体
１５  容器本体
２２  蓋板
２３  蓋前板
２４  カッター
２５  切込線
２６  開封片
３０  開口部
３１  底板の長辺
３２  底板の他の長辺
３４  抑え板
３４Ａ  抑え板の端部
３４Ｂ  抑え板の外側面
３６  接着エリア
３８  第１の連接辺
３９  第２の連接辺
４０  蓋板の長辺
４２  接着面
４４  ニック
４６  半切り線
４９  接着エリアの中心
５０  ニックの中心
５１  隙間
５２  スリット部
５３  抑え板の端部を含む短辺
５６、５７  折線
５８  抑え板の後板側の長辺
５９  抑え板の第２の連接辺側の長辺
６０  蓋前板の下端辺
６１  底板の短辺
６３  蓋板の短辺
７１  側面板
７１Ａ  第１の副側面板
７１Ｂ  第２の副側面板
７３  蓋側面板
８０  鋸刃
Ｌ１  抑え板の後板側の長手方向の長さ
Ｌ２  抑え板の第２の連接辺上の長手方向の長さ
Ｌ４  開口部の長手方向の長さ
Ｍ２  Ｎ２に直角な線
Ｎ２  第２の連接辺に平行な線
Ｐ２  Ｍ２に平行な線
Ｗ  幅方向
Ｗ１  抑え板の幅
Ｗ４  開口部の幅
Ｘ１、Ｘ２  長手方向
【図１】
2013001410.tif 000003
【図２】
2013001410.tif 000004
【図３】
2013001410.tif 000005
【図４】
2013001410.tif 000006
【図５】
2013001410.tif 000007
【図６】
2013001410.tif 000008